(57)【要約】【課題】各ユーザの音声の感度に応じて音量を制御すること。【解決手段】本発明の携帯電話装置は、操作部と、通話相手の音声を出力するスピーカと、前記スピーカから出力される音声の音声信号のうち特定の周波数帯域の音声信号を強調するイコライザと、前記イコライザにて強調する周波数帯域を指示する補正情報を、前記イコライザに設定する補正情報修正部と、前記スピーカから出力されている音声の音声信号の周波数特性を分析する分析部と、を有し、前記補正情報修正部は、前記操作部にて音量アップまたはダウンの操作が行われた場合、前記周波数分析部にて分析された周波数特性に応じて音声信号が強調されるように前記補正情報を修正し、前記操作部にて音量アップの操作が行われた場合はさらに、所定の周波数閾値以上の周波数帯域の音声信号が強調されるように前記補正情報を修正する。【選択図】図１
2010119007.tif 000002
【特許請求の範囲】
【請求項１】
操作部と、
通話相手の音声を出力するスピーカと、
前記スピーカから出力される音声の音声信号のうち特定の周波数帯域の音声信号を強調するイコライザと、
前記イコライザにて強調する周波数帯域を指示する補正情報を、前記イコライザに設定する補正情報修正部と、
前記スピーカから出力されている音声の音声信号の周波数特性を分析する分析部と、を有し、
前記補正情報修正部は、
前記操作部にて音量アップまたはダウンの操作が行われた場合、前記周波数分析部にて分析された周波数特性に応じて音声信号が強調されるように前記補正情報を修正し、
前記操作部にて音量アップの操作が行われた場合はさらに、所定の周波数閾値以上の周波数帯域の音声信号が強調されるように前記補正情報を修正する携帯電話装置。
【請求項２】
前記補正情報修正部は、
前記操作部にて音量アップの操作が行われる度に、前記周波数閾値を低域方向に所定量だけシフトさせる、請求項１に記載の携帯電話装置。
【請求項３】
前記補正情報修正部は、
通話相手の電話番号と関連付けて前記補正情報をデータベースに保存し、
当該通話相手からの以降の着信時には、当該通話相手の電話番号と関連付けて前記データベースに保存した補正情報を、前記イコライザに設定する、請求項１または２に記載の携帯電話装置。
【請求項４】
操作部と、通話相手の音声を出力するスピーカと、前記スピーカから出力される音声の音声信号のうち特定の周波数帯域の音声信号を強調するイコライザと、を有してなる携帯電話装置による音量制御方法であって、
前記イコライザにて強調する周波数帯域を指示する補正情報を、前記イコライザに設定する設定ステップと、
前記スピーカから出力されている音声の音声信号の周波数特性を分析する分析ステップと、
前記操作部にて音量アップまたはダウンの操作が行われた場合、前記分析された周波数特性に応じて音声信号が強調されるように前記補正情報を修正する第１修正ステップと、
前記操作部にて音量アップの操作が行われた場合はさらに、所定の周波数閾値以上の周波数帯域の音声信号が強調されるように前記補正情報を修正する第２修正ステップと、を有する音量制御方法。
【請求項５】
前記操作部にて音量アップの操作が行われる度に、前記周波数閾値を低域方向に所定量だけシフトさせるシフトステップをさらに有する、請求項４に記載の音量制御方法。
【請求項６】
通話相手の電話番号と関連付けて前記補正情報をデータベースに保存する保存ステップをさらに有し、
前記設定ステップでは、当該通話相手からの以降の着信時には、当該通話相手の電話番号と関連付けて前記データベースに保存した補正情報を、前記イコライザに設定する、請求項４または５に記載の音量制御方法。
【発明の詳細な説明】
【技術分野】
【０００１】
本発明は、携帯電話装置において、通話相手の音声の音量を制御する技術に関する。
【背景技術】
【０００２】
携帯電話装置には、ユーザが通話相手の音声をより聞き取りやすくするために、音声の音量を制御する機能が備えられている。
【０００３】
そのため、例えば、ユーザは、音声が聞き取りにくい場合には、音量を全般にあげることで対応していた。
【０００４】
しかし、ユーザには、音声の感度に関し、聞き取りやすい周波数帯域および聞き取りにくい周波数帯域があり、例えば、加齢により高域の音声が聞き取りにくくなる。
【０００５】
そのため、高齢のユーザが、音声が聞き取りにくいために音量をあげると、比較的聞き取りやすい低域の音声が大きいと感じてしまう。
【０００６】
これを防止する技術として、例えば、特許文献１には、高域または低域の一方の音声に重み付けを行って、重み付けした周波数帯域の音声を強調する技術が開示されている。
【０００７】
この技術によれば、高齢のユーザは、聞き取りにくい高域の音声のみを強調することができるため、低域の音声を大きいと感じることが回避されるという利点がある。
【特許文献１】特開２００１−１２３４５６号公報
【発明の開示】
【発明が解決しようとする課題】
【０００８】
しかし、ユーザの音声の感度は、年齢だけに依存するものではなく、ユーザ間でも個人差があること、すなわち、年齢が近いユーザ間でも、聞き取りやすい周波数帯域および聞き取りにくい周波数帯域が異なることが知られている。
【０００９】
そのため、特許文献１のように、高域または低域の一方の音声を一律に強調するだけでは、各ユーザの音声の感度に応じて音量を制御することはできないという課題がある。
【００１０】
そこで、本発明の目的は、上述の課題を解決し、各ユーザの音声の感度に応じて音量を制御することができる携帯電話装置、携帯電話装置による音量制御方法を提供することにある。
【課題を解決するための手段】
【００１１】
本発明の携帯電話装置は、
操作部と、
通話相手の音声を出力するスピーカと、
前記スピーカから出力される音声の音声信号のうち特定の周波数帯域の音声信号を強調するイコライザと、
前記イコライザにて強調する周波数帯域を指示する補正情報を、前記イコライザに設定する補正情報修正部と、
前記スピーカから出力されている音声の音声信号の周波数を分析する分析部と、を有し、
前記補正情報修正部は、
前記操作部にて音量アップまたはダウンの操作が行われた場合、前記周波数分析部にて分析された周波数に応じて音声信号が強調されるように前記補正情報を修正し、
前記操作部にて音量アップの操作が行われた場合はさらに、所定の周波数閾値以上の周波数帯域の音声信号が強調されるように前記補正情報を修正する。
【００１２】
本発明の音量制御方法は、
操作部と、通話相手の音声を出力するスピーカと、前記スピーカから出力される音声の音声信号のうち特定の周波数帯域の音声信号を強調するイコライザと、を有してなる携帯電話装置による音量制御方法であって、
前記イコライザにて強調する周波数帯域を指示する補正情報を、前記イコライザに設定する設定ステップと、
前記スピーカから出力されている音声の音声信号の周波数を分析する分析ステップと、
前記操作部にて音量アップまたはダウンの操作が行われた場合、前記分析された周波数に応じて音声信号が強調されるように前記補正情報を修正する第１修正ステップと、
前記操作部にて音量アップの操作が行われた場合はさらに、所定の周波数閾値以上の周波数帯域の音声信号が強調されるように前記補正情報を修正する第２修正ステップと、を有する。
【発明の効果】
【００１３】
本発明の携帯電話装置によれば、音量アップまたはダウンの操作が行われた場合、通話相手の音声信号を分析した周波数特性に応じて音声信号が強調されるように、イコライザにて強調する周波数帯域を指示する補正情報を修正する。
【００１４】
したがって、ユーザが音声の音量が小さいまたは大きいと感じたときの周波数帯域に絞って音量を調整することができるため、各ユーザの音声の感度に応じて音量を制御することができるという効果が得られる。
【００１５】
また、本発明の携帯電話装置によれば、音量アップの操作が行われた場合はさらに、周波数閾値以上の周波数帯域の音声信号が強調されるように補正情報を修正する。
【００１６】
したがって、ユーザが音声の音量が小さいと感じたときに、そのユーザが高齢者である場合を考慮して、高齢者が聞き取りにくいとされる高域の音声が強調されるように音量を制御することができるという効果が得られる。
【発明を実施するための最良の形態】
【００１７】
以下に、本発明を実施するための最良の形態について図面を参照して説明する。
【００１８】
図１を参照すると、本実施形態の携帯電話装置は、ＣＯＤＥＣ（COder DECoder）２と、イコライザ３と、ＤＡＣ（Digital Analog Converter）４と、ＡＭＰ５と、スピーカ（ＳＰ）６と、キー（Key）入力部７と、音量調整部１６と、電話帳ＤＢ（Data Base）１７と、電話番号通知部１８と、を有している。
【００１９】
また、音量調整部１６は、周波数分析部１０と、モニタ部１１と、補正情報修正部１３と、補正情報保存部１４と、制御部１５と、を有している。
【００２０】
ＣＯＤＥＣ２は、音源１にて発生した通話相手の音声の音声信号（デジタル信号）を圧縮してＰＣＭ（Pulse Code Modulation）信号に変換する。
【００２１】
イコライザ３は、ＣＯＤＥＣ２にてＰＣＭ信号に変換された音声信号のうち、特定の周波数帯域の音声信号を強調する。なお、イコライザ３は、補正情報修正部１３により設定される後述の補正情報に基づき、特定の周波数帯域の音声信号を強調する。
【００２２】
ＤＡＣ４は、イコライザ３にて特定の周波数帯域が強調された音声信号をアナログ信号に変換する。
【００２３】
ＡＭＰ５は、ＤＡＣ４にてアナログ信号に変換された音声信号を増幅する。
【００２４】
スピーカ６は、ＡＭＰ５にて増幅された音声信号の音声を出力する。
【００２５】
キー入力部７は、ユーザが音量アップ（ＵＰ）／ダウン（ＤＷＮ）の音量操作を行うために使用する操作部であり、音量操作が行われると、その操作内容を音量操作情報８として制御部１５に入力する。
【００２６】
電話番号通知部１８は、現在の通話相手の電話番号を取得し制御部１５に通知する。
【００２７】
制御部１５は、音量調整部１６内の各手段を有効に制御する。
【００２８】
モニタ部１１は、現在スピーカ６から出力されている音声信号のデジタル信号をサンプリングする。
【００２９】
周波数分析部１０は、現在スピーカ６から出力され、モニタ部１１にてサンプリングされている音声信号の周波数特性を分析し、その分析結果を周波数特性情報９として補正情報修正部１３に入力する。
【００３０】
補正情報修正部１３は、イコライザ３にて強調する周波数帯域を指示する補正情報１２の修正およびイコライザ３への設定を行う。
【００３１】
具体的には、補正情報修正部１３は、ユーザがキー入力部７にて音量アップまたはダウンの操作を行った場合、周波数特性情報９を基に、分析された周波数特性に応じて音声信号が強調されるように補正情報１２を修正する。
【００３２】
また、補正情報修正部１３は、キー入力部７にて音量アップの操作を行った場合はさらに、所定の周波数閾値以上の周波数帯域の音声信号が強調されるように補正情報１２を修正する。
【００３３】
なお、補正情報修正部１３は、キー入力部７にて音量アップの操作が行われる度に、上記の周波数閾値を低域方向に所定量だけシフトさせる。
【００３４】
また、補正情報修正部１３は、イコライザ３に設定する補正情報１２を補正情報保存部１４に保存する。
【００３５】
また、補正情報修正部１３は、現在の通話相手の電話番号と関連付けて、イコライザ３に設定する補正情報１２を電話帳ＤＢ１７に保存し、現在の通話相手の補正情報１２を学習する。
【００３６】
そして、補正情報修正部１３は、現在の通話相手から以降に着信があった時には、その通話相手の電話番号と関連付けて電話帳ＤＢ１７に保存していた補正情報１２を、イコライザ３に設定する。
【００３７】
以下、本実施形態の携帯電話装置の動作について説明する。ここでは、着信した通話相手の補正情報１２が電話帳ＤＢ１７に保存されていないものとして説明する。
【００３８】
音源１にて発生した通話相手の音声の音声信号（デジタル信号）は、ＣＯＤＥＣ２にてＰＣＭ信号に変換されて、イコライザ３に入力される。
【００３９】
このとき、イコライザ３には、補正情報修正部１３により、図２に示すように、全ての周波数帯域の音声信号を強調しない補正情報１２の初期値が設定されている。
【００４０】
そのため、ＣＯＤＥＣ２にてＰＣＭ信号に変換された音声信号は、イコライザ３をそのまま通過し、ＤＡＣ４にてアナログ信号に変換され、ＡＭＰ５にて増幅された後、スピーカ６から音声として出力される。
【００４１】
これと並行して、音量調整部１６の制御部１５は、イコライザ３から出力された音声信号を、モニタ部１１でサンプリングさせ、周波数分析部１０で周波数特性を分析させて、その音声信号の分析結果を表す周波数特性情報９に常に収集する。ここでは、図３に示すような周波数特性情報９を収集したとする。
【００４２】
ここで、ユーザがキー入力部７にて音量アップの操作を行ったとする。この場合、補正情報修正部１３は、音量アップの操作が行われたことを表す音量操作情報８を受け、図３に示した周波数特性情報９を基に、分析された周波数特性に応じて音声信号が強調されるように、図２に示した補正情報１２の初期値を修正する。
【００４３】
また、一般的に、図４に示すように、加齢により、高域の音声が聞き取りにくくなり、図中点線で示す上限値が低域方向にシフトする。そこで、補正情報修正部１３は、さらに、ユーザが高齢者である場合を考慮して、所定の周波数閾値以上の高域の周波数帯域の音声信号が強調されるように補正情報１２を修正する。
【００４４】
その結果、音量アップの操作が行われた場合の補正情報１２は、図５に示すように修正されることになる。
【００４５】
なお、補正情報修正部１３は、以降に、キー入力部７にて音量アップの操作が行われる度に、図６に示すように、上記の周波数閾値を低域方向に所定量だけシフトさせた上で、補正情報１２を修正する。
【００４６】
一方、ユーザがキー入力部７にて音量ダウンの操作を行ったとする。この場合、補正情報修正部１３は、音量ダウンの操作が行われたことを表す音量操作情報８を受け、図３に示した周波数特性情報９を基に、分析された周波数特性に応じて音声信号が強調されるように、図２に示した補正情報１２の初期値を修正する。
【００４７】
なお、この場合は、ユーザが音を大きいと感じているため、補正情報１２の高域領域に更なる修正は行わない。
【００４８】
その結果、音量ダウンの操作が行われた場合の補正情報１２は、図７に示すように修正されることになる。
【００４９】
以上のようにして修正された補正情報１２は、補正情報修正部１３によりイコライザ３に設定され、それにより特定の周波数帯域の音声信号が強調されることになる。
【００５０】
また、補正情報修正部１３は、現在の通話相手の電話番号と関連付けて、修正された補正情報１２を電話帳ＤＢ１７に保存し、現在の通話相手の補正情報１２を学習する。
【００５１】
そして、補正情報修正部１３は、現在の通話相手から以降に着信があった時には、その通話相手の電話番号と関連付けて電話帳ＤＢ１７に保存していた補正情報１２を、イコライザ３に設定する。
【００５２】
上述したように本実施形態においては、補正情報修正部１３は、音量アップまたはダウンの操作が行われた場合、通話相手の音声信号の周波数特性に応じて音声信号が強調されるように補正情報１２を修正する。
【００５３】
したがって、ユーザが音声の音量が小さいまたは大きいと感じたときの周波数帯域に絞って音量を調整することができるため、各ユーザの音声の感度に応じて音量を制御することができるという効果が得られる。
【００５４】
また、本実施形態においては、補正情報修正部１３は、音量アップの操作が行われた場合はさらに、周波数閾値以上の高域の周波数帯域の音声信号が強調されるように補正情報１２を修正する。
【００５５】
したがって、ユーザが音声の音量が小さいと感じたときに、そのユーザが高齢者である場合を考慮して、高齢者が聞き取りにくいとされる高域の音声が強調されるように音量を制御することができるという効果が得られる。
【００５６】
また、本実施形態においては、補正情報修正部１３は、音量アップの操作が行われる度に、周波数閾値を低域方向に所定量だけシフトさせる。
【００５７】
したがって、ユーザが音声の音量が小さいと感じたときに、音声信号を強調する高域の周波数帯域を、低域方向に徐々に広げることができるという効果が得られる。
【００５８】
また、本実施形態においては、補正情報修正部１３は、通話相手の電話番号と関連付けて補正情報１２を電話帳ＤＢ１７に保存し、現在の通話相手の補正情報１２を学習する。
【００５９】
したがって、現在の通話相手から以降に着信があった時に、前回学習した補正情報１２を利用することができるという効果が得られる。
【図面の簡単な説明】
【００６０】
【図１】本発明の一実施形態の携帯電話装置の構成を示すブロック図である。
【図２】図１に示した携帯電話装置において、イコライザに設定する補正情報の初期値を説明する図である。
【図３】図１に示した携帯電話装置において、通話相手の音声信号の周波数特性の分析結果を表す周波数特性情報を説明する図である。
【図４】図１に示した携帯電話装置において、加齢により高域の音声が聞き取りにくくなることを説明する図である。
【図５】図１に示した携帯電話装置において、音量アップ操作が行われた場合の補正情報の修正動作を説明する図である。
【図６】図１に示した携帯電話装置において、音量アップ操作が行われた場合の周波数閾値のシフト動作を説明する図である。
【図７】図１に示した携帯電話装置において、音量ダウン操作が行われた場合の補正情報の修正動作を説明する図である。
【符号の説明】
【００６１】
１    音源
２    ＣＯＤＥＣ
３    イコライザ
４    ＤＡＣ
５    ＡＭＰ
６    スピーカ
７    キー入力部
８    音量操作情報
９    周波数特性情報
１０    周波数分析部
１１    モニタ部
１２    補正情報
１３    補正情報修正部
１４    補正情報保存部
１５    制御部
１６    音量調整部
１７    電話帳ＤＢ
１８    電話番号通知部
【図１】
2010119007.tif 000003
【図２】
2010119007.tif 000004
【図３】
2010119007.tif 000005
【図４】
2010119007.tif 000006
【図５】
2010119007.tif 000007
【図６】
2010119007.tif 000008
【図７】
2010119007.tif 000009